(57)【要約】水供給手段と、水供給手段から供給された水に色を付けるように配置されている着色ステーションと、着色ステーションのところで形成された着色した水から容易に分離することができる氷のブロックを形成し、必要な色または色の組み合わせの氷を供給するために、貯蔵手段内に、容易に分離することができる氷のブロックを選択的に放出するための冷凍ステーションとを備える製氷装置。冷凍ステーションは、端部が開いている整形素子および関連する冷凍素子を有利に使用して、整形素子が形成する適当な形の氷のブロックを形成するために、またその後でその下の開放端部から整形された氷のブロックを取り出すことができるように、その内部の水を凍らせることができる。
2006519973.tif 000002
【特許請求の範囲】
【請求項１】
水供給手段と、前記水供給手段から供給された水に色を付けるように配置されている着色ステーションと、前記着色ステーションで形成された前記着色した水から容易に分離することができる氷のブロックを形成し、必要な色または色の組み合わせの氷を供給するために、貯蔵手段内に前記容易に分離することができる氷のブロックを選択的に放出するための冷凍ステーションとを備える製氷装置。
【請求項２】
前記着色ステーションが、前記水供給手段から供給されたある量の水を加熱するための手段と、添加物貯蔵手段から天然物質を導入するための手段であって、前記必要な色にするために前記水内に注入するように配置されている手段とを備える、請求項１に記載の装置。
【請求項３】
前記注入物を冷却するための冷却ステーションを含む、請求項２に記載の装置。
【請求項４】
前記冷凍ステーションに冷たい濾過した注入物を供給するために、前記注入物を濾過するための濾過手段を含む、請求項２または３に記載の装置。
【請求項５】
前記加熱手段が、前記量の水を沸点に加熱し、次に、この水を約９０度の温度に自然に冷却するように構成された、請求項２、３または４に記載の装置。
【請求項６】
供給された前記水を浄化するための浄化ユニットを含む、請求項１〜５のうちの任意の１つまたは複数に記載の装置。
【請求項７】
それぞれが、マイクロプロセッサの制御の下で複数の加熱チャンバのうちの１つまたは複数にその内容物を供給することができる複数の添加物チャンバを含み、前記複数の加熱チャンバのうちの１つまたは複数が、今度は、同様にマイクロプロセッサの制御の下で注入物を冷凍チャンバのアレイのうちの１つまたは複数に供給することができる、請求項２に記載の装置。
【請求項８】
冷凍チャンバが、異なる形の比較的容易に分離することができる氷のブロックを形成するように配置され、前記形が選択した前記特定の色に関する特徴を示すことができる、請求項１〜７のうちの任意の１つまたは複数に記載の装置。
【請求項９】
草本物質および／または果物物質および／または野菜物質が、約５分間の間、前記液体内に導入されるように構成された、請求項２に記載の装置。
【請求項１０】
前記着色ステーションが、それぞれが着色注入物を含むように配置されている分配ユニットのアレイを備える、請求項１に記載の装置。
【請求項１１】
前記着色注入物が濃縮物である、請求項１０に記載の装置。
【請求項１２】
端部が開いている整形素子により所定の形の氷のブロックを形成するための方法であって、前記氷のブロックを形成するための水を、それぞれが冷凍素子を囲むように配置されている前記整形素子内に導入するステップと、前記整形素子内に位置する前記冷凍素子により前記整形素子により囲まれている水を冷凍するステップと、その後で前記整形素子により整形された前記氷のブロックが前記整形素子の下の開放端部を通してここから移動することができるように、前記氷に対して前記整形素子および前記冷凍素子を加熱するステップとを含む方法。
【請求項１３】
前記整形素子の少なくとも一部がチャンバ内に導入される水の中に浸漬できるように、前記チャンバ内に前記整形素子を位置させるステップを含む、請求項１２に記載の方法。
【請求項１４】
前記冷凍素子を前記整形素子に導入し、そこから取り出すステップを含む、請求項１２または１３に記載の方法。
【請求項１５】
前記氷に対して前記整形素子および冷凍素子を加熱する前記ステップが、前記整形された氷のブロックが前記整形素子の前記下の開いた端部から落下できるようにする、請求項１２、１３または１４に記載の方法。
【請求項１６】
前記チャンバ内の前記氷のブロックの少なくとも一時的な収集ができるようにするために、前記氷のブロックの冷凍の後で、前記チャンバ内に残っている水を排出するステップを含む、請求項１２、１３、１４または１５に記載の方法。
【請求項１７】
凍らせる水を受け入れるように配置されている端部が開いている整形素子と、前記整形素子内で水を凍らせるために、前記整形素子内に収容されるように配置されている冷凍素子と、整形された氷のブロックを前記整形素子の下の開放端部から取り出すことができるように、前記氷に対して前記整形素子および冷凍素子を加熱するための手段とを備える氷成形装置。
【請求項１８】
前記整形素子の少なくとも一部を浸漬するために、水を導入することができるチャンバ内に位置するように前記整形素子が配置される、請求項１７に記載の装置。
【請求項１９】
前記チャンバ内の前記凍ったブロックの前記少なくとも一時的な収集ができるように、前記凍ったブロックの形成後に前記チャンバから水を排出するための手段を含む、請求項１８に記載の装置。
【請求項２０】
前記冷凍素子が前記整形素子に対して前後に移動できるように配置される、請求項１７、１８または１９に記載の装置。
【請求項２１】
前記整形された氷のブロックが前記整形素子の前記下の開いた端部を通して落下することができる程度に加熱されるように前記整形および冷凍素子が配置される、請求項１７、１８、１９または２０に記載の装置。
【請求項２２】
前記整形素子の前記開放端部が、類似の形および寸法をしている、請求項１７、１８、１９、２０または２１に記載の装置。
【請求項２３】
前記整形素子が前記装置内に取り外すことができるように装着されている、請求項１７〜２２のうちの任意の１つまたは複数に記載の装置。
【請求項２４】
前記整形素子がポリマー材料から形成される、請求項１７〜２３のうちの任意の１つまたは複数に記載の装置。
【請求項２５】
複数の横方向に間に間隔を有する整形素子を含む、請求項１７〜２４のうちの任意の１つまたは複数に記載の装置。
【請求項２６】
前記横方向に間に間隔を有する整形素子が整形素子の格子を含む、請求項２５に記載の装置。
【請求項２７】
請求項１〜１１のうちの任意の１つまたは複数に記載の製氷装置であって、その前記冷凍ステーション内に請求項１７〜２６のうちの任意の１つまたは複数に記載の氷成形装置を含む製氷装置。
【請求項２８】
添付の図面の図１、図２および図３を参照しながら実質的にすでに説明し、これらの図に示す製氷装置。
【請求項２９】
添付の図面の図２および図３を参照しながら実質的にすでに説明した所定の形の氷のブロックを形成するための方法。
【請求項３０】
添付の図面の図２および図３を参照しながら実質的にすでに説明した、端部が開いている整形素子を備える製氷装置。  
【発明の詳細な説明】
【技術分野】
【０００１】
本発明は、製氷装置および製氷方法に関し、特に着色氷を成形するためのこのような装置に関する。
【背景技術】
【０００２】
氷は、現在、例えば顧客に出す時点で飲料を主として冷却するために、飲料業界で広く使用されている。
【０００３】
しかし、氷の使用は、通常、単にこのような冷却だけに限定されていて、飲料の美的性質を向上する（すなわち、例えば、飲料の品質／純度の確認を提供する）という点では現在無価値である。
【０００４】
市販の製氷機械は、現在、必要に応じて包装し、顧客に販売することができる大量の角氷を製造するためのものであるが、このような製氷機械により作られた氷は、同様に上記の目的以外には使用されない。
【発明の開示】
【発明が解決しようとする課題】
【０００５】
本発明は、周知のこのような製氷装置より優れた製氷装置を提供する。
【課題を解決するための手段】
【０００６】
ある態様によれば、本発明は、水供給手段と、水供給手段から供給された水に色を付けるように配置されている着色ステーションと、着色ステーションで形成された着色した水から容易に分離することができる氷のブロックを形成し、任意の必要な色または色の組み合わせの氷を提供するために、貯蔵手段内に容易に分離することができる氷のブロックを選択的に放出するための冷凍ステーションとを備える製氷装置を提供する。
【０００７】
都合のよいことに、この装置はモジュラ・タイプのもので、１つの色、色を混合したもの、または個々の色の適当な量の氷を供給するように制御することができる。
【０００８】
都合のよいことに、上記制御は、マイクロプロセッサ制御ユニットにより行うことができる。
【０００９】
もちろん、すべての動作を必要に応じて手動で制御することもできることを理解することができるだろう。
【００１０】
好適には、着色ステーションは、上記水供給手段から供給されたある量の水を加熱するための手段、および添加物貯蔵手段から天然物質を導入するための手段であって、必要な色にするために水内に注入するように配置されている手段を備える。
【００１１】
さらに、この装置は、上記注入物を冷却するための冷却ステーションを含むことができ、好適には、また上記冷凍ステーションに冷たい濾過した注入物を供給するように、上記注入物を濾過するための濾過手段を含むことが好ましい。
【００１２】
より詳細には、上記量の水は沸点まで加熱され、約９０度の温度に自然に冷却される。
【００１３】
好適には、天然物質は少なくとも約５分間の間、水の中に導入することが好ましい。
【００１４】
都合のよいことに、この装置は、この装置に供給された水を浄化するための浄化ユニットを含むことができる。
【００１５】
より詳細には、この装置は、それぞれが、複数の加熱チャンバのうちの１つまたは複数にマイクロプロセッサの制御の下で、その内容物を供給することができる複数の添加物チャンバを含むことができ、上記複数の加熱チャンバは、今度は、マイクロプロセッサの制御の下で同様に冷凍チャンバのアレイのうちの１つまたは複数に注入物を供給することができる。
【００１６】
必要に応じて、この装置を同時に複数の色の氷を製造するように配置することができる。
【００１７】
また、冷凍チャンバを、選択した特定の色に関連する特徴を示すことができる異なる形の比較的分離し易い氷のブロックを形成するように配置することができる。
【００１８】
他の態様によれば、本発明は、端部が開いている整形素子により所定の形の氷のブロックを形成するための方法を提供する。この方法は、上記氷のブロックを形成するための水を、それぞれが冷凍素子を囲むように配置されている上記整形素子内に導入するステップと、整形素子内に位置する冷凍素子により整形素子により囲まれている水を凍らせるステップと、その後で整形素子により整形された氷のブロックを整形素子の下の開放端部を通して、ここから移動することができるように氷に対して整形素子および冷凍素子を加熱するステップとを含む。
【００１９】
この方法はその底部以外のところに開口部を有する整形素子と一緒に使用することもできることを理解されたい。
【００２０】
好適には、整形素子は、少なくとも整形素子の一部を浸漬するように、水が導入されるチャンバ内に位置するように配置することが好ましい。
【００２１】
このようにして、チャンバ内の水のレベルを、整形した氷のブロックの縦方向の寸法を決定するために使用することができる。
【００２２】
都合のよいことに、冷凍素子は、その中に冷凍素子を導入し、そこから取り出すために、整形素子に対して前後に移動することができるように配置されている。
【００２３】
別の方法としては、整形素子により囲まれるように、永久に取り外すことができないように冷凍素子が装着される。
【００２４】
好適には、氷に対する整形素子および冷凍素子の加熱は、整形された氷のブロックが整形素子の下の開放端部を通して落下することができるように行うことが好ましい。
【００２５】
都合のよいことに、この方法は、さらに、上記相対的加熱段階が、そこから整形された氷のブロックを必要に応じて回収し、貯蔵ホッパに供給することができるチャンバの下の領域に整形された氷のブロックが落下することができるように、整形素子内で整形された氷のブロックが形成された後に、チャンバから過度の水を排出するステップを使用することができる。
【００２６】
もう１つの態様によれば、本発明は、冷凍する水を受け入れるように配置されている端部が開いている整形素子と、整形素子内で水を凍らせるために、整形素子内に収容されるように配置されている冷凍素子と、整形された氷のブロックを整形素子の下の開放端部から取り出すことができるように、氷に対して整形素子および冷凍素子を加熱する手段とを備える氷成形装置を提供する。
【００２７】
この場合も、氷成形装置は、別の方法として、その底部以外のところに開口部を有する整形素子を使用することができる。
【００２８】
端部が開いている複数の整形素子、および複数の各冷凍素子を有利に設置することができる。
【００２９】
都合のよいことに、整形素子は、整形素子の外側に位置する水の冷凍を制限する働きをしながら、その内部で形成中の氷のブロックの形を決めることができるように適当なポリマーから作ることができる。
【００３０】
都合のよいことに、上記複数の整形素子は、このような素子の格子を形成するように結合することができる。
【００３１】
冷凍素子は、必要に応じて整形素子を内部に設置し、内部から取り出すために前後に装着されるように配置される。
【００３２】
都合のよいことに、この装置は、その内部で水が凍る前に、整形素子の少なくとも一部を浸漬するように水を導入することができる浅いチャンバを含む。
【００３３】
都合のよいことに、このようなチャンバは、整形された冷凍ブロックが形成された後で、そこから過度の水を排出するための排出手段を含む。さらに、チャンバを下の開放端部を通して整形素子から解放された整形された冷凍ブロックを容易に取り出すことができるようにすることができる。
【００３４】
もちろん、種々の異なる形の氷のブロックを形成するように形を修正することができることを理解されたい。
【００３５】
使用する整形された氷のブロックを成形するための方法およびそのための装置は、上記製氷装置内で使用することができる。
【００３６】
添付の図面を参照しながら本発明を以下にさらに詳細に説明するが、これは単に例示としてのものに過ぎない。
【発明を実施するための最良の形態】
【００３７】
この装置はモジュラ・タイプなので、氷ブロック／角氷を製造する働きをする各冷凍チャンバ・モジュールに別々の色供給装置を設置することもできる。この供給装置は、また、複数の色の氷ブロック／角氷を作るために１つまたは複数のチャンバに接続することができる。
【００３８】
図面は、必要に応じて１つの色、種々の色または複数の色の組み合わせの着色氷を供給するように配置されている製氷装置１０の簡単なブロック図を示す。
【００３９】
装置１０は、装置の氷が浄化した水から形成されるように、水浄化ユニット１４と連絡している水の入り口１２を含む。
【００４０】
浄化された水は、図の実施形態の場合には、水が沸点に加熱され、次に、約９０度に自然に冷えるようになっている加熱チャンバ１６Ａ〜１６Ｅのアレイに供給される。
【００４１】
加熱チャンバ１６Ａ〜１６Ｅのアレイに隣接して、それぞれが草本物質、果物の物質および／または野菜の物質のような天然物質を含む添加物チャンバ１８Ａ〜１８Ｅのアレイが位置する。
【００４２】
添加物チャンバ１８Ａ〜１８Ｅのアレイは、矢印Ａの方向に前後に移動することができるように配置されている。そのため、チャンバのうちの任意の１つ、すなわち、添加物チャンバ１８Ａ〜１８Ｅのうちの１つの内容物を加熱チャンバ１６Ａ〜１６Ｅのアレイのうちの任意の１つまたは複数に供給することができる。
【００４３】
加熱チャンバ１６Ａ〜１６Ｅのうちの１つ内の水に添加した場合、添加物は、以下にさらに概略説明する方法により、水が加熱された際に注入物を生成する働きをする。
【００４４】
注入物が必要な温度に冷えると、チャンバ１６Ａ〜１６Ｅのうちの任意の１つまたは複数の注入物を冷凍チャンバ２０Ａ〜２０Ｅのうちの任意の１つまたは複数に供給することができるように、矢印Ｂの方向の同様に前後に装着されている冷凍チャンバ２０Ａ〜２０Ｅのアレイ内に分配することができる。
【００４５】
各冷凍チャンバは、異なる特有の形を有する氷のブロックを形成するように配置することができ、この形を、添加物チャンバ１８Ａ〜１８Ｅからの水に追加する特定の物質に関連するように配置することができる。
【００４６】
冷凍チャンバのアレイ内で凍ると、氷は供給ファネル２２を通して１つまたは複数の貯蔵ホッパ２４Ａ〜２４Ｄ内に供給される。
【００４７】
この場合も、供給ファネル２２は、冷凍チャンバ２０Ａ〜２０Ｅの任意の１つまたは複数のアレイ内で形成された氷を貯蔵ホッパ２４Ａ〜２４Ｄのうちの任意の１つまたは複数に供給することができるように矢印Ｃの方向に前後に装着できるように配置されている。
【００４８】
それ故、理解してもらえると思うが、添加物チャンバのアレイ、冷凍チャンバのアレイおよび供給ファネル２２の前後装着の観点からいえば、各貯蔵ホッパ２４Ａ〜２４Ｄは、すべてが１つの色の氷、異なる色の氷、または任意の必要な複数の色の組み合わせの氷の供給を受けることができる。また、添加物チャンバ１８Ａ〜１８Ｅが前後に装着されているので、最終的に形成されるアイス・ボックスの色をさらに変えるために、複数の添加物を加熱チャンバ１６Ａ〜１６Ｅのアレイのうちの任意の１つに導入することができる。
【００４９】
都合のよいことに、貯蔵ホッパ２４Ａ〜２４Ｄが透明であるので、美的品質を容易にチェックすることができる。
【００５０】
もちろん、添加物チャンバ１８Ａ〜１８Ｅのアレイ、冷凍チャンバ２０Ａ〜２０Ｅのアレイ、および供給ファネル２２の相対的位置をマイクロプロセッサの制御の下で有利に決めることができる。
【００５１】
ここで図２を参照すると、この図は、図１の装置で使用するのに適している冷凍チャンバ２０の一例である。
【００５２】
冷凍チャンバ２０は、以下にさらに説明するように３つの形の氷のブロックを形成するように配置されている３つの整形素子２８Ａ、２８Ｂ、２８Ｃが位置する浅い水保持チャンバまたはタンク２６を含む。整形素子は、頂面および底面が開いている端部が開いている素子である。
【００５３】
整形素子２８Ａ、２８Ｂおよび２８Ｃは、図３の斜視図にも示す整形素子の格子構造体を形成するように接続部材３０で接続している。図２を参照すると、この図は、整形素子２８Ａ、２８Ｂ、２８Ｃ内に挿入するように配置されている複数の３つの各冷凍素子３２Ａ、３２Ｂおよび３２Ｃを示す。冷凍素子３２Ａ、３２Ｂ、３２Ｃは、それ自身矢印Ｄの方向に移動するように前後に装着されている横方向に延びる支持アーム３４から下に延びるように配置されている。
【００５４】
図２の位置において、横方向支持アーム３４は、冷凍素子３２Ａ、３２Ｂ、３２Ｃが、それぞれ整形素子２８Ａ、２８Ｂ、２８Ｃ内から引っ込んでいる上昇位置にある。
【００５５】
必要な氷ブロックを形成するために、各整形素子２８Ａ、２８Ｂ、２８Ｃがちょうど完全に浸漬するように、参照番号３６で示すレベルまでタンク２６内に水が導入される。
【００５６】
次に、横方向支持アーム３４は、整形素子２８Ａ、２８Ｂ、２８Ｃ内に各冷凍素子３２Ａ、３２Ｂ、３２Ｃを導入するために下降し、次に、各整形素子内の水の温度を下げるために冷凍素子が作動する。その結果、最終的にその内部の水が凍り、整形素子２８の形に従って設計した横方向周囲を有する氷ブロックができる。
【００５７】
整形素子２８Ａ、２８Ｂ、２８Ｃ内の水が凍ったと判断した場合に冷凍動作を停止するように、整形素子２８Ａ、２８Ｂ、２８Ｃの壁部で囲まれている水を適当な時間凍らせることができるようにタイミング装置（図示せず）が、配置されている。
【００５８】
この段階で、水タンク２６内に残っている過度の水を排出手段（図示せず）により排出することができ、次に、装置が各整形素子から氷のブロックを取り出すように配置されている。
【００５９】
図の例の場合には、このような氷のブロックの取り出しは、整形された氷のブロックが整形素子２８Ａ、２８Ｂ、２８Ｃの下の開口部を通して落下することができるように、整形素子２８Ａ、２８Ｂ、２８Ｃおよび冷凍素子３２Ａ、３２Ｂ、３２Ｃの相対的加温／加熱により行われる。
【００６０】
次に、整形された氷のブロックは効果的に整形素子２８Ａ、２８Ｂ、２８Ｃから落下し、図１の貯蔵ホッパ２４Ａ〜２４Ｄに供給するために、必要に応じて、タンク２６の下面上に収集することができ、そこから回収することができる。
【００６１】
支持アーム３４による冷凍素子３２Ａ、３２Ｂ、３２Ｃへの収容運動は、装置の動作サイクルの一部として使用するようにすることもできるし、または別の方法としては、単に保守動作を行うことができるように使用することもできる。それ故、この後者の点に関しては、反復動作サイクル中で、冷凍素子３２Ａ、３２Ｂ、３２Ｃを、整形素子２８Ａ、２８Ｂ、２８Ｃ内に永久に位置するように配置することができ、また必要に応じて整形素子を効果的に浸漬するために、単に水タンク内への水の供給を通して水を整形素子内に導入することもできる。もちろん、冷凍素子を整形素子に対して固定状態に装着することもできる。
【００６２】
都合のよいことに、整形素子は、適当なポリマーから形成することができ、同じものであってもよいし、全く異なるものであるが全体的に美的に興味のある形のものであってもよい任意の適当な数の整形素子の格子を形成するように接続することができる。
【００６３】
もちろん、本発明のこの態様は、上記説明の詳細な点に制限されないことを理解されたい。何故なら、任意の適当な複数の整形素子および各数の冷凍素子を使用することができるからである。
【００６４】
例えば、この装置のある配置は、２０の別々の冷凍素子を備えることができ、この装置は、さらに、形がすべて同じまたは異なる形の２０の整形素子の格子を備えることができ、またはそれぞれが同じ形、または異なる形／寸法の１０の整形素子を含む２つの別々の格子を備えることができる。
【００６５】
都合のよいことに、下の端部が開いている整形素子を使用することにより、整形された氷のブロックは、そこから効果的に落下し、前方の適当な形の貯蔵手段に供給することができる。これにより生産性が大きく向上する。
【００６６】
本発明の装置で氷のブロックを形成する１つの方法は、同時係属の国際出願ＰＣＴ／ＧＢ２００２／００４０２に開示されていて、草本および／または野菜および／または果物の物質を、高温で、例えば５分間というような時間の間、液体内に導入するステップと、注入物の製品を自然に冷却させるステップと、次に、冷却した注入液体を容易に分離することができる氷のブロックに凍らせるステップとを含む。
【００６７】
好適には、この液体は、上記物質を添加する前に、沸点まで加熱する水を含んでいることが好ましい。好適には室温まで冷えると、注入物は氷のブロックの形成中に使用する前に濾過される。
【００６８】
上記出願に記載されているように、このように形成された氷のブロックは、高温の水にこのような氷のブロックを加えることにより、インスタント・ドリンクを作るために使用することもできるし、またはこれら氷のブロックは、別に作ったドリンクを冷やすために使用することもできる。
【００６９】
都合のよいことに、氷のブロックは、必要に応じてまた必要な場合に、追加される液体を着色するために使用することができる。
【００７０】
別の方法としては、または追加として、氷のブロックを飲料に香りを付けるために使用することができる。
【００７１】
ある特定の例示としての方法の場合には、草本物質の混合物が添加物チャンバ１８Ａから供給され、加熱チャンバ１６Ａ内の純粋な水に添加され、沸騰後に９０℃に冷却され、このようにして作られた注入物がチャンバ１６Ａから濾過され、冷凍チャンバ２０Ａ内の角氷の型内に送られ、そこで凍り、ファネル２２を通して貯蔵ホッパに分配される。
【００７２】
都合のよいことに、氷のブロックを形成するための液体に対する注入製品の比率は、２．２リットルに対して１００ｍｌであるが、この比率は必要な色または使用する物質により異なる。
【００７３】
好適には、濾過ステップは、綿のフィルタで、好適には１００％綿のフィルタで行うことが好ましい。
【００７４】
好適な色および／または香りの、必要に応じて、香気および健康にも有益な注入物を作る種々の物質を種々の割合で混合することができることを理解されたい。
【００７５】
物質が注入される液体の温度は、発色させ、必要に応じて、最もよくオイルおよび香味を付けるための物質に適するように調整することができる。
【００７６】
注入物を作る場合には、注入物を作っているプロセス中に時間的間隔をおいて容器内の内容物を静かに攪拌することが有利であることが分かっている。それ故、本発明の装置は、加熱チャンバ１６Ａ〜１６Ｅに関連して攪拌手段を含むことができる。
【００７７】
本発明の例示としての特定の装置について例を挙げて説明してきたが、本発明を種々に変更および修正することができるし、他の装置も使用することができることを理解することができるだろう。
【００７８】
都合のよいことに、注入し濾過した内容物を含む氷のブロックは、特殊な創造的および美的方法でドリンクを着色する手段を提供する。必要な任意の順序でおよび／または組み合わせで液体に追加するために、消費者は種々の氷のブロックを容易に選択することができる。その結果、砕いたまたはフレーク状の氷を含む食品ディスプレイのような魅力のあるドリンクまたは任意の他の氷の要件用のものを作ることができる。重要なことは、本発明の氷のブロックは、どの飲料にも風味を全然追加しないことであるが、必要に応じて、ある程度の風味を与えることもできる。
【００７９】
しかし、本発明の方法は、他の材料により使用することもできる。
【００８０】
色の範囲および濃さは、使用する濾過プロセスおよび注入時間を操作することにより制御することができる。
【００８１】
また、氷に使用する色は、添加物チャンバのアレイおよび加熱チャンバのアレイが、例えば、上記方法により作った濃い色の液体を直接必要な氷のブロックに凍らせる浄化した水内に導入するように配置されている色注入ユニットで効果的に置換されるように装置から離れた場所で作ることができる。
【図面の簡単な説明】
【００８２】
【図１】本発明を実施する装置の略図である。
【図２】図１の装置で使用するためのある形の冷凍チャンバである。
【図３】図２の装置の一部の斜視図である。
【図１】
2006519973.tif 000003
【図２】
2006519973.tif 000004
【図３】
2006519973.tif 000005
【国際調査報告】
2006519973.tif 000006
2006519973.tif 000007
2006519973.tif 000008
2006519973.tif 000009
2006519973.tif 000010
2006519973.tif 000011